(57)【特許請求の範囲】
【請求項１】
磁気を検知する磁気センサであって、
磁気を検知する磁電変換素子と、樹脂封止部とを有し、
前記樹脂封止部は、外部封止部と、前記磁電変換素子を覆う内部封止部とを備え、
前記内部封止部と、前記外部封止部との間に空隙を有することを特徴とする磁気センサと、
前記磁気センサ全体を、更に封止する全体封止部と、
更に前記全体封止部を金属でカバーする金属ケースであって、前記外部封止部は前記金属ケースと接し、前記内部封止部は前記金属ケースと接しないように、前記全体封止部をカバーする金属ケースと
を備えることを特徴とする磁気検知装置。
【請求項２】
磁気を検知する磁気センサであって、
磁気を検知する磁電変換素子と、樹脂封止部とを有し、
前記樹脂封止部は、外部封止部と、前記磁電変換素子を覆う内部封止部とを備え、
前記内部封止部と、前記外部封止部との間に空隙を有することを特徴とする磁気センサと、
前記磁気センサ全体を、更に封止する全体封止部と、
更に前記全体封止部を金属でカバーする金属ケースであって、前記外部封止部は前記金属ケースと接し、前記内部封止部は前記金属ケースと接しないように、前記全体封止部をカバーする金属ケースとを備える磁気検知装置と、
前記磁気検知装置の上部に紙幣を搬送するためのローラーを備えることを特徴とする紙幣認識システム。
【発明の詳細な説明】
【技術分野】
【０００１】
本発明は、例えば、被検知体として紙幣等の磁気インキを認識することのできる磁気センサに関する。
【背景技術】
【０００２】
従来、磁気インクを認識することのできる磁気センサとしては、半導体素子が使用されており被検知体との接触による摩擦力が半導体素子に加わりピエゾ効果として作用し、特性が変化するという問題があった。この解決手段として、例えば、特許文献１に開示されているように、紙幣と磁気センサとの間に空間を設ける技術が知られている。
【０００３】
図８、図９は、上記特許文献１に記載された磁気センサの外観を示す斜視図である。図８、図９に示すように、特許文献１に開示された技術では、上述した問題に対して、被検知体と磁気センサとの間に空間を設けているが、被検知体からの摩擦力（ストレス）の影響を完全に除去しきれてないという課題があった。つまり、図１０に示すように、上部ローラーからの振動が側面から加わり、感磁面の半導体素子に影響を与えるため、正確な紙幣認識ができないという問題点があった。
【先行技術文献】
【特許文献】
【０００４】
【特許文献１】特開２００３−１７７１６８号公報
【発明の概要】
【発明が解決しようとする課題】
【０００５】
従いまして、本発明は、上部ローラーからの振動が側面から加わり、感磁面の半導体素子に影響を与えるため、正確な紙幣認識ができないという従来技術の問題点を改善する磁気センサ、およびこれを使用する磁気検知装置、紙幣認識システムを提供することを目的とする。
【課題を解決するための手段】
【０００７】
上記課題を解決するために、本発明の請求項１に記載された磁気検知装置は、磁気を検知する磁気センサであって、磁気を検知する磁電変換素子と、樹脂封止部とを有し、上記樹脂封止部は、外部封止部と、上記磁電変換素子を覆う内部封止部とを備え、上記内部封止部と、上記外部封止部との間に空隙を有することを特徴とする磁気センサと、上記磁気センサ全体を、更に封止する全体封止部と、更に上記全体封止部を金属でカバーする金属ケースであって、上記外部封止部は上記金属ケースと接し、上記内部封止部は上記金属ケースと接しないように、上記全体封止部をカバーする金属ケースとを備えることを特徴とする。
【０００８】
上記課題を解決するために、本発明の請求項２に記載の紙幣認識システムは、磁気を検知する磁気センサであって、磁気を検知する磁電変換素子と、樹脂封止部とを有し、上記樹脂封止部は、外部封止部と、上記磁電変換素子を覆う内部封止部とを備え、上記内部封止部と、上記外部封止部との間に空隙を有することを特徴とする磁気センサと、上記磁気センサ全体を、更に封止する全体封止部と、更に上記全体封止部を金属でカバーする金属ケースであって、上記外部封止部は上記金属ケースと接し、上記内部封止部は上記金属ケースと接しないように、上記全体封止部をカバーする金属ケースとを備える磁気検知装置と、上記磁気検知装置の上部に紙幣を搬送するためのローラーを備えることを特徴とする。
【発明の効果】
【０００９】
本発明によれば、ローラーからの振動によるストレスが直接、磁電変換素子の感磁部に伝わるという従来技術の問題点に対して、感磁部を有する磁電変換素子を覆う内部封止部と外部封止部との間に空隙を設けることにより、磁電変換素子の感磁部に影響を与えるストレス量を減少することができ、従って、紙幣認識システムにおいて、精度の良い測定を可能とすることができる。
【図面の簡単な説明】
【００１０】
【図１】本発明の一実施形態による磁気センサの外観を示す斜視図である。
【図２】本発明の一実施形態による磁気センサの断面図であって、素子背面より磁石をはめ込んだ状態を示す図である。
【図３】本発明の一実施形態による磁気センサの断面図であって、ワイヤーボンド後であって、樹脂封止体の形成前の状態を示す図である。
【図４】本発明の一実施形態による磁気センサの断面図であって、樹脂封止後の状態を示す図である。
【図５】本発明の一実施形態による磁気センサの樹脂封止時に使用する金型を示す図であって、図５ａは、本発明の一実施形態による磁気センサの上型を示す斜視図であり、図５ｂは、本発明の一実施形態による磁気センサの下型を示す斜視図である。
【図６】本発明の一実施形態による磁気センサを使用する磁気検知装置を示す断面図である。
【図７】本発明の一実施形態による磁気センサを使用する紙幣認識システムを示す断面図である。磁電変換素子を覆う内部封止部１０３ａと外部封止部１０３ｂを形成するためのものである。また、樹脂注入時に必要なゲートとエアーベントを備えている。
【図８】従来技術による磁気センサの外観を示す斜視図である。
【図９】従来技術による別の磁気センサの外観を示す斜視図である。
【図１０】従来技術による磁気センサを使用する紙幣認識システムを示す断面図である。
【発明を実施するための形態】
【００１１】
以下、本発明の実施形態について図面を参照して詳細に説明する。  
図１は、本発明の一実施形態による磁気センサ１００の外観を表す斜視図であり、図２は、磁気センサ１００の断面図であって、素子背面より磁石１０４をはめ込んだ状態を示す図である。
【００１２】
図１および図２において、磁気センサ１００は、磁電変換素子１０１と、磁電変換素子１０１の検出面に備えられた電極と金線を使用して接続されるリードフレーム１０２と、磁電変換素子１０１を封止する樹脂封止体１０３と、樹脂封止体１０３に形成された凹部空間部にはめ込まれる磁石１０４とを備える。
【００１３】
また、樹脂封止体１０３は、磁電変換素子１０１を覆う内部封止部１０３ａと外部封止部１０３ｂ、及び磁石１０４をはめ込む凹型封止部１０３ｃからなり、磁電変換素子１０１を覆う内部封止部１０３ａの上面と外部封止部１０３ｂとの間には、空隙が設けられる。図２に示す磁気センサは、樹脂封止により形成された凹部空間部に、磁石１０４がはめ込まれている。
【００１４】
図３、図４を使用して本発明の製造プロセスを説明する。
図３は、本発明の一実施形態による磁気センサ１００の断面図であって、ワイヤーボンド後であって、樹脂封止体１０３の形成前の状態を示す図である。図３において、磁気センサ１００は、磁電変換素子１０１と、リードフレーム１０２とを備える。磁電変換素子１０１は、化合物半導体と金属による短冊状のパターンが形成された矩形状のチップ（ペレット）として構成されている。磁電変換素子１０１は、銀ペースト樹脂等を使用してリードフレーム１０２と接着固定する。磁電変換素子１０１のパターンに形成されたペレット上の電極と、リードフレーム１０２は、ワイヤーボンダにより、例えば金のΦ２５μｍ径の金ワイヤーで電気的に接合されている。
【００１５】
図４は、本発明の一実施形態による磁気センサ１００の断面図であって、樹脂封止後の状態を示す図である。図４において、磁気センサ１００は、磁電変換素子１０１やリードフレーム１０２を覆うように樹脂封止体１０３でモールド封止されている。この時、使用する金型により、内部封止部１０３ａと外部封止部１０３ｂを形成する。その後、リードフレーム１０２を裏面側に９０°折り曲げる。
【００１６】
このとき、使用した金型を図５ａ、図５ｂに示す。図５ａ、図５ｂにおいて、通常のモールド樹脂を使用し、モールド条件も通常の条件に従いモールド形成が行われる。図５ａに示す金型は、上型で、リードフレーム１０２裏面側に、磁石１０４をはめ込むための凹部空間部を形成するためのものであり、実際の金型としては、図中↑の向きを上にして使用する。図５ｂに示す金型は、下型で磁気変換素子１０１を覆う内部封止部１０３ａと外部封止部１０３ｂを形成するためのものであり、実際には、図中↑の向きを上にして使用する。また、樹脂注入時に必要なゲートとエアーベントとを備えている。
【００１７】
本発明の一実施形態による磁気センサ１００を使用した他の形態を示す。
図６は、本発明の一実施形態による磁気センサ１００を使用する磁気検知装置６００を示す断面図である。図６において、磁気検知装置６００は、本発明の一実施形態による磁気センサ１００の外部を金属ケース１０５で覆い、金属ケース１０５内部をさらに素子封止用樹脂１０６で封止した構造を有する。
【００１８】
図７は、本発明の一実施形態による磁気センサ１００を使用する紙幣認識システム７００を示す断面図である。図７において、紙幣認識システム７００は、図６に示す磁気検知装置６００の上部に紙幣を搬送するためのローラー１０７を備える構造を有する。
【００１９】
以上のように本発明によれば、図１０に示すように、ローラーからの振動によるストレスが直接、磁電変換素子の感磁部に伝わるという従来技術の問題点に対して、図７に示すように、感磁部を有する磁電変換素子を覆う内部封止部と外部封止部との間に空隙を設けることにより、磁電変換素子の感磁部に影響を与えるストレス量を減少することができ、従って、紙幣認識のシステムにおいて、精度の良い測定を可能とすることができる。
【符号の説明】
【００２０】
１００  磁気センサ
１０１  磁電変換素子
１０２  リードフレーム
１０３  樹脂封止体
１０３ａ  内部封止部
１０３ｂ  外部封止部
１０３ｃ  凹部封止部
１０４  磁石
１０５  金属ケース
１０６  素子封止用樹脂
１０７  ローラー
５００  上型
５１０  下型
６００  磁気検知装置
７００  紙幣認識システム
【図１】
0005463567.tif 000002
【図２】
0005463567.tif 000003
【図３】
0005463567.tif 000004
【図４】
0005463567.tif 000005
【図５】
0005463567.tif 000006
【図６】
0005463567.tif 000007
【図７】
0005463567.tif 000008
【図８】
0005463567.tif 000009
【図９】
0005463567.tif 000010
【図１０】
0005463567.tif 000011